(57)【要約】  【目的】  アナログ放送を録画した映像を視聴しているユーザが、映像に関係する商品やサービスに興味もった際に、迅速かつ容易に商品情報や商品購入を実現可能なシステムを提供する。【構成】  ユーザは、テレビ画面に番組映像やＣＭ映像が表示されている時に、リモートコントローラ４０を用いて買い物実行ボタンを押す。デジタル記録再生装置１０は、テレビに番組映像やＣＭ映像が正常に表示されているのを確認後、インターネット接続を確立させて、ＣＭ商品データサーバ６０に対して番組映像やＣＭ映像に関連する商品データのリクエスト信号を送信する。ＣＭ商品データサーバ６０は、そのリクエスト信号に該当する商品データを商品ＤＢ６３から検索して抽出する。そして、抽出した商品データをデジタル記録再生装置１０に送信し、その商品データはテレビに出力される。ユーザが希望する商品を選択すると商品購入画面へ移動し、商品の購入が可能となる。【選択図】    図１
2007110557.tif 000002
【特許請求の範囲】
【請求項１】
番組映像およびＣＭ映像からなる映像ストリームを記録可能なデジタル記録再生装置と、記録した映像ストリームを再生出力可能なテレビとを備えたデジタル記録再生システムに対して、  映像ストリームの番組映像またはＣＭ映像の開始時刻および終了時刻や文字情報を含むインデックステーブルを記憶したインデックスサーバと、番組映像またはＣＭ映像と関連する商品データを記憶した商品データサーバとが、インターネットを介して前記デジタル記録再生装置へインデックステーブルおよび商品データを送信可能な商品購入システムであって、
前記デジタル記録再生装置は、インデックステーブルを受信するデータ受信手段と、
商品データサーバから商品データを受信する商品データ受信手段と、
受信したインデックステーブルを用いてテレビに映像ストリームを再生させるとともに商品データをテレビに出力させる制御手段と、
出力された商品データに対する購入希望データを前記商品データサーバへ送信する購入希望データ送信手段と、を備えたことを特徴とする商品購入システム。
【請求項２】
前記デジタル記録再生装置には、再生された映像に関連する詳細な商品データをリクエストする旨の商品データリクエスト信号を検知する商品データリクエスト信号検知手段と、
その商品データリクエスト信号を検知した旨を商品データサーバに送信する商品データリクエスト信号送信手段と、を備え、
前記商品データサーバは、商品データリクエスト信号送信手段が送信した商品データリクエスト信号を受信するリクエスト信号受信手段と、
予め記憶された商品データベースを参照して商品データリクエスト信号に該当する商品データを抽出する商品データ抽出手段と、
抽出したその商品データをデジタル記録再生装置に送信する商品データ送信手段と、を備えたことを特徴とする請求項１に記載の商品購入システム。
【請求項３】
番組映像またはＣＭ映像と関連するものの商品データとして商品データサーバには未だ記憶されていない未開示商品について、その未開示商品を販売可能である販売者をインターネットにて募集するための未開示商品販売権データを、所定の販売権募集サイトに送信する販売権データ送信手段と、
その販売権募集サイトにおいて落札した販売者からの当該未開示商品に関する販売データである未開示商品データを受信する未開示商品データ受信手段と、
受信した未開示商品データを、既に記憶している商品データに追加する商品データ追加手段と、
を備えたことを特徴とする請求項１または請求項２に記載の商品購入システム。
【請求項４】
前記デジタル記録再生装置におけるインデックステーブルには、映像ストリームの再生中に、ユーザが所定シーンの頭出しを希望するための操作を行った場合に、その操作によって前記デジタル記録再生装置の記録手段の所定領域に予め確保された頭だし位置としての頭出し信号が記録される電子付箋テーブルを備え、
前記制御手段は、前記頭出し信号をユーザの操作によって呼び出す操作に基づき、前記電子付箋テーブルから該当する頭出し信号を抽出するとともに、
その抽出された頭出し信号と、前記映像ストリームとを整合させることで、頭出し信号に対応する映像ストリームを開始させることとした請求項１から請求項３のいずれかに記載の商品購入システム。
【請求項５】
商品データサーバには、
前記商品データ抽出手段によって商品データリクエスト信号に該当する商品データが抽出されなかった場合に、その抽出されなかった商品データに係る商品を販売可能である販売者をインターネットにて募集するための販売希望者募集データを所定の募集サイトに送信する販売希望者募集データ送信手段と、
その募集サイトにおいて落札した販売者に係るリクエスト商品販売データを受信するリクエスト商品販売データ受信手段と、
その受信したリクエスト商品販売データを前記デジタル記録再生装置に送信するリクエスト商品販売データ送信手段と、を備え、
当該デジタル記録再生装置の制御手段は、リクエスト商品販売データをテレビに出力させることとした請求項１から請求項４のいずれかに記載の商品購入システム。
【請求項６】
前記インデックステーブルには、ＣＭ映像に関連した商品データを特定するＣＭ情報文字データを含み、
そのＣＭ情報文字データには、ＣＭスポンサー名、当該ＣＭスポンサーに係るサービス名または商品名、ＣＭ出演者名、ＣＭ名称、ＣＭ挿入曲およびＣＭスポンサーの属する業種を含んで構成されていることを特徴とする請求項１から請求項５のいずれかに記載の商品購入システム。
【請求項７】
前記インデックステーブルには、番組映像に関係する番組情報文字データを含み、
その番組情報文字データは、商品データサーバに記憶された商品データとのリンク構造を備えることによって、商品データとの検索を容易とした請求項１から請求項６のいずれかに記載の商品購入システム。
【請求項８】
前記商品データサーバは、前記購入希望データ送信手段から送信された購入希望データを受信する購入希望データ受信手段と、受信したその購入希望データを用いて商品の代金決済を実行する代金決済手段とを備えたことを特徴とする請求項１から請求項７のいずれかに記載の商品購入システム。
【請求項９】
前記商品データサーバは、商品データに係る商品に関連する商品についての関連商品データを、当該商品データとのリンク構造を含んで備えたことを特徴とする請求項１から請求項８のいずれかに記載の商品購入システム。
【請求項１０】
番組映像およびＣＭ映像からなる映像ストリームを記録可能であるとともに、記録した映像ストリームを再生出力可能なテレビに接続可能なデジタル記録再生装置であって、
映像ストリームの番組映像またはＣＭ映像の開始時刻および終了時刻や文字情報を含むインデックステーブルを記憶したインデックスサーバからインデックステーブルを受信するインデックステーブル受信手段と、
番組映像またはＣＭ映像と関連する商品データを記憶した商品データサーバから商品データを受信する商品データ受信手段と、
受信したインデックステーブルを用いてテレビに映像を再生させるとともに商品データ受信手段が受信した商品データをテレビに出力させることが可能な制御手段と、
テレビに出力されたその商品データに対する購入希望データを前記商品データサーバに送信する購入希望データ送信手段と、を備えたことを特徴とするデジタル記録再生装置。
【請求項１１】
再生された映像に関連する詳細な商品データをリクエストする旨の商品データリクエスト信号を検知する商品データリクエスト信号検知手段と、
その商品データリクエスト信号を検知した旨を商品データサーバに送信する商品データリクエスト信号送信手段と、を備え、
商品データ受信手段は、商品データサーバが商品データリクエスト信号に該当する商品データを抽出して送信した商品データを受信することとした請求項１０に記載のデジタル記録再生装置。
【請求項１２】
前記映像ストリームの再生中に、ユーザが所定シーンの頭出しを希望するための操作を行った場合に、その操作によって前記デジタル記録再生装置の記録手段の所定領域に予め確保された頭だし位置としての頭出し信号が記録される電子付箋テーブルを備え、
前記制御手段は、前記ユーザの頭出し信号を呼び出す操作によって、前記電子付箋テーブルから該当する頭出し信号を抽出するとともに、
その抽出された頭出し信号と、前記映像ストリームとを整合させることで、頭出し信号に対応する映像ストリームを開始させることとした請求項１０または請求項１１に記載のデジタル記録再生装置。
【請求項１３】
番組映像およびＣＭ映像からなる映像ストリームを記録可能であるとともに、記録した映像ストリームを再生出力可能なテレビに接続可能なデジタル記録再生装置の制御プログラムであって、
そのプログラムは、映像ストリームの番組映像またはＣＭ映像の開始時刻および終了時刻や文字情報を含むインデックステーブルを記憶したインデックスサーバからインデックステーブルを受信するインデックステーブル受信手順と、
番組映像またはＣＭ映像と関連する商品データを記憶した商品データサーバから商品データを受信する商品データ受信手順と、
受信したインデックステーブルを用いてテレビに映像ストリームを再生させるとともに商品データ受信手段が受信した商品データをテレビに出力させる制御手順と、
テレビに出力されたその商品データに対する購入希望データを前記商品データサーバに送信する購入希望データ送信手順と、をデジタル記録再生装置の制御コンピュータに実行させることとしたコンピュータプログラム。
【請求項１４】
番組映像およびＣＭ映像からなる映像ストリームを記録可能であるとともに、記録した映像ストリームを再生出力可能なテレビに接続可能なデジタル記録再生装置の制御プログラムであって、
そのプログラムは、映像ストリームの番組映像またはＣＭ映像の開始時刻および終了時刻や文字情報を含むインデックステーブルを記憶したインデックスサーバからインデックステーブルを受信するインデックステーブル受信手順と、
受信したインデックステーブルを用いてテレビに映像を再生させる制御手順と、
再生された映像に関連する詳細な商品データをリクエストする旨の商品データリクエスト信号を検知する商品データリクエスト信号検知手順と、
その商品データリクエスト信号を検知した旨を商品データサーバに送信する商品データリクエスト信号送信手順と、
商品データリクエスト信号に関わる商品データを商品データサーバから受信する商品データ受信手順と、
受信した商品データをテレビに出力させる商品データ出力手順と、
テレビに出力されたその商品データに対する購入希望データを前記商品データサーバに送信する購入希望データ送信手順と、をデジタル記録再生装置の制御コンピュータに実行させることとしたコンピュータプログラム。
【請求項１５】
番組映像またはＣＭ映像と関連するものの商品データとして商品データサーバには未だ記憶されていない未開示商品について、その未開示商品を販売可能である販売者をインターネットにて募集するための未開示商品販売権データを、所定の販売権募集サイトに送信する販売権データ送信手順と、
その販売権募集サイトにおいて落札した販売者からの当該未開示商品に関する販売データである未開示商品データを受信する未開示商品データを受信する未開示商品データ受信手順と、
受信した未開示商品データを、既に記憶している商品データに追加する商品データ追加手順とをデジタル記録再生装置の制御コンピュータに実行させることとした請求項１３または請求項１４に記載のコンピュータプログラム。
【請求項１６】
前記映像ストリームの再生中に、ユーザが所定シーンの頭出しを希望するための操作を行った場合に、その操作によって前記デジタル記録再生装置の記録手段の所定領域に予め確保された頭だし位置としての頭出し信号が記録される電子付箋テーブルを備え、
前記制御手順は、前記ユーザの頭出し信号を呼び出す操作によって、前記電子付箋テーブルから該当する頭出し信号を抽出するとともに、
その抽出された頭出し信号と、前記映像ストリームとを整合させることで、頭出し信号に対応する映像ストリームを開始させることとした請求項１３から請求項１５に記載のコンピュータプログラム。
【発明の詳細な説明】
【技術分野】
【０００１】
本発明は、最終消費者たるテレビ視聴者が商品を購入するために利用される技術に関する。特に、録画されたテレビの映像を見ながら商品購入を申し込み可能なシステムおよびそれに使用するデジタル記録再生装置およびその制御プログラムの技術に関する。
【背景技術】
【０００２】
商品の広告方法および商品販促手段としてはコマーシャル（ＣＭ）が良く知られている。このＣＭは、ＣＭスポンサーが定められた時間枠（１５秒、３０秒、６０秒など）内で自社の商品やサービスの宣伝を行う代わりとして、テレビ番組の制作費用等を広告制作会社やテレビ局などに提供することによって成り立っている。ＣＭは１５秒や３０秒単位で制作されており、複数のＣＭが番組の途中で入ることが多い。
ＣＭスポンサーとしてのメリットは、そのＣＭを視聴したテレビ視聴者がそのＣＭに関わる商品を認知し、購入してもらうことによる売り上げ増大である。
【０００３】
さて、現在、テレビ視聴者があるＣＭに関連する商品の情報を入手したり購入したりする方法としては、実在する近隣の店舗に出向く方法、電話、ＦＡＸなどによる通信販売による方法、ＣＭや商品情報に関わるＷｅｂサイトにアクセスしての商品購入（いわゆるインターネットショッピング）という方法が一般的となっている。インターネットショッピングは、商品の詳細情報の入手についての簡便さ、物理的、時間的な制限の少なく、利用者が急増している。
【０００４】
本願発明に関連する技術として、特開２００１−２５８０１２号公報を抽出した（特許文献１参照）。この特許文献１に記載の技術は、デジタル放送受信端末でデジタル放送のＣＭに入力されているホームページのデータを、インターネットとリンクさせることで、テレビ放送のＣＭで放送されている商品等の詳細情報や商品購入をインターネット経由で実現可能とした技術である。
【０００５】
【特許文献１】特開２００１−２５８０１２号公報
【０００６】
近年、テレビ番組をハードディスクドライブ（以下、ＨＤＤと表記する）に録画して視聴するデジタル記録再生装置が普及してきている。このデジタル記録再生装置は、大容量化しているＨＤＤに番組の録り貯めが可能であり、テレビ視聴者は放映時間にかかわらず視聴することができる。
さて、デジタル記録再生装置は、録画された映像に対する視聴の利便性を高めるため、所定時間（多くは３０秒）単位のスキップをさせる機能が備えられている。これは、ボタンを１回押すことで録画された映像が３０秒分、早送りされ、再生が再開される機能である。
【発明の開示】
【発明が解決しようとする課題】
【０００７】
特許文献１に記載の技術では、デジタル放送のみに特化した技術が開示されているだけであり、現在の主流であるアナログ放送ではＣＭ画面から商品購入を実現するための具体的な手段は開示されていない。
【０００８】
また、デジタル記録再生装置のユーザは、録画したテレビ番組を好きな時間に、そしてより短時間に効率的に視聴するために、以下のようにしてスキップ機能を使用することが多い。すなわち、たとえばテレビ番組間に２分間のＣＭが挿入されていれば、スキップ機能を命令するボタンを４回操作することで、ＣＭを視聴せずにテレビ番組を連続して視聴するのである。ＣＭをスキップされて視聴されたのでは、ＣＭスポンサーに関わる商品やサービスを紹介する機会が失われるので、ＣＭスポンサーとしてのメリットが減少してしまう。
【０００９】
ＣＭスポンサーのメリット減少を食い止めるには、テレビ映像から商品購入サイトへ誘導する技術が有望である。しかしそうした技術は、前述の特許文献１のように、データ送信や双方向通信が可能なデジタル放送でなければならない。
【００１０】
本発明は、上記課題を考慮して提案されたものである。
すなわち、現在のアナログ放送をデジタル記録再生装置に録画して視聴するユーザに対して、その録画映像に関わる商品やサービスに興味もった際に、迅速かつ容易に商品情報や商品購入を実現可能な技術を提供することにある。そのような技術を提供することにより、結果として、録画視聴者に対するＣＭ視聴のスキップを食い止める、あるいはＣＭの売り上げ貢献度を直接かつ即時的に高めることが本発明の目的である。
【００１１】
請求項１から請求項９に記載の発明は、アナログ放送を録画した映像を視聴しているユーザが、映像に関係する商品やサービスに興味もった際に、迅速かつ容易に商品情報や商品購入を実現可能なシステムを提供することである。
請求項１０から請求項１２に記載の発明は、アナログ放送を録画した映像を視聴しているユーザが、映像に関係する商品やサービスに興味もった際に、迅速かつ容易に商品情報や商品購入を実現可能なデジタル記録再生装置を提供することである。
請求項１３から請求項１６に記載の発明は、アナログ放送を録画した映像を視聴しているユーザが、映像に関係する商品やサービスに興味もった際に、迅速かつ容易に商品情報や商品購入を実現可能なデジタル記録再生装置の制御プログラムを提供することである。
【課題を解決するための手段】
【００１２】
（請求項１）
請求項１記載の発明は、番組映像およびＣＭ映像からなる映像ストリームを記録可能なデジタル記録再生装置と、前記映像ストリームを再生出力可能なテレビとを備えたデジタル記録再生システムに対して、  前記映像ストリームの番組映像またはＣＭ映像の開始時刻および終了時刻や文字情報を含むインデックステーブルを記憶したインデックスサーバと、番組映像またはＣＭ映像と関連する商品データを記憶した商品データサーバとが、インターネットを介して前記デジタル記録再生装置へインデックステーブルおよび商品データを送信可能な商品購入システムに係る。
前記デジタル記録再生装置は、インデックステーブルを受信するデータ受信手段と、  商品データサーバから商品データを受信する商品データ受信手段と、  受信したインデックステーブルを用いてテレビに映像ストリームを再生させるとともに商品データをテレビに出力させる制御手段と、  出力された商品データに対する購入希望データを前記商品データサーバへ送信する購入希望データ送信手段と、を備える。
【００１３】
（用語説明）
「映像ストリーム」とは、テレビ番組の映像である番組映像およびテレビコマーシャル（ＣＭ）の映像であるＣＭ映像の二つの映像から構成されたアナログ映像信号のことである。この映像ストリームに記録された「番組映像」および「ＣＭ映像」は、記録位置テーブル等の各種インデックス情報からなるインデックステーブルによって、該当する番組映像およびＣＭ映像を特定することができ、テレビ画面へ再生表示させることが可能である。
【００１４】
「インデックスサーバ」とは、デジタル記録再生装置がリモートコントローラ等の入力手段から番組映像およびＣＭ映像の再生信号を受信した際に、どの番組映像またはＣＭ映像を再生するかを決定するためのインデックスを蓄積したサーバのことである。このインデックスサーバには、番組映像およびＣＭ映像の記録位置などからなるインデックステーブルと呼ばれる複数のデータテーブルが記憶されており、当該インデックステーブルに基づいて番組映像およびＣＭ映像を再生するための再生信号をデジタル記録再生装置に送信する。
【００１５】
「インデックステーブル」は、番組映像やＣＭ映像の開始時刻および終了時刻が記録された「記録位置テーブル」、個々の番組映像の放送局、番組タイトル、放送日および放送時間を特定するための「番組情報テーブル」および企業名、商品名、出演者、ＣＭ曲、放送日および放送時間を特定するための「ＣＭ情報テーブル」、のほか、請求項４にて特定する「電子付箋テーブル」などを備えて構成されるデータテーブルである。インデックステーブルは、デジタル記録再生装置の記録手段に記録され、制御手段が必要に応じて呼び出す。
【００１６】
「商品データサーバ」とは、番組映像またはＣＭ映像に関連する複数の商品データが記憶された商品データベースを備え、商品データの全て、あるいはデジタル記録再生装置のユーザが所望する商品データを抽出してデジタル記録再生装置に提供することが可能なサーバである。例えば、複数のショッピングサイト（電子商店）から構築された、いわゆる  「ショッピングモール」を運営するコンピュータシステムである。
商品データに係る商品は、請求項３にて特定するように、必要に応じて商品データサーバから呼び出す場合もあるが、デジタル記録再生装置の記録手段に全てをダウンロードして記録し、制御手段が必要に応じて呼び出し、テレビに出力させることとしてもよい。
【００１７】
「商品データ」は、ＣＭ映像の関連商品のほか、番組映像（より具体的には所定のドラマ）においてセットとして使われた家具、登場人物が着用していた服や小道具などのことであり、デジタル記録再生装置の記録手段に全てをダウンロードして記録し、制御手段が必要に応じて呼び出し、テレビに出力させる。なお、「商品データ」に係る「商品」には、いわゆるサービス業が提供するサービスも含まれる。なお、制御手段において、商品データの出力を全く行わない、随時行う、などの選択を可能としておくこともできる。
「購入希望データ」は、テレビに出力された商品データに係る商品を購入する意思表示を表すデータである。たとえば、デジタル記録再生装置を操作するためのリモートコントローラに設けられた買い物実行ボタン（買い物実行信号入力手段）が操作されると、そのボタン操作の信号をデジタル記録再生装置の本体が受信し、当該商品の購入希望データとして商品データサーバに送信する。
【００１８】
（作用）
前記デジタル記録再生装置は、データ受信手段にてインデックステーブルを受信する。
当該デジタル記録再生装置のユーザは、受信したインデックステーブルを用いて、記録した映像ストリームを再生させる。インデックステーブルと対応させた再生に関する制御は、デジタル記録再生装置の制御手段が行う。
テレビには、商品データサーバから受信した商品データも随時出力される。視聴者（デジタル記録再生装置のユーザ）が出力された商品データの購入を希望する場合には、購入希望データ送信手段を用いて購入希望データを前記商品データサーバへ送信する。
【００１９】
インターネットショッピングの場合には、パーソナルコンピュータ（ＰＣ）を起動し、Ｗｅｂブラウザを立ち上げてインターネットに接続し、当該商品を扱っているショッピングサイトなどに移動し、そのショッピングサイトにおいて当該商品を検索し、購入する手続きに入らなければならない。比較すれば明らかなように、本願発明においては、ＰＣの起動およびショッピングサイトにおける検索による商品データの入手が不要である。
【００２０】
（請求項２）
請求項２に記載の発明は、請求項１記載の商品購入システムを限定したものである。
すなわち、前記デジタル記録再生装置には、再生された映像に関連する詳細な商品データをリクエストする旨の商品データリクエスト信号を検知する商品データリクエスト信号検知手段と、その商品データリクエスト信号を検知した旨を商品データサーバに送信する商品データリクエスト信号送信手段と、を備える。
また、前記商品データサーバは、商品データリクエスト信号送信手段が送信した商品データリクエスト信号を受信するリクエスト信号受信手段と、  予め記憶された商品データベースを参照して商品データリクエスト信号に該当する商品データを抽出する商品データ抽出手段と、  抽出したその商品データをデジタル記録再生装置に送信する商品データ送信手段と、を備えたことを特徴とする。
請求項１との相違点は、商品データをリクエストに応じて提供し、出力する点である。
【００２１】
（作用）
テレビに再生された映像に関わる商品データを欲する場合、ユーザは、商品データをリクエストする操作を行う。その操作の旨は、商品データリクエスト信号として商品データリクエスト信号検知手段が検知する。そして、その商品データリクエスト信号を検知した旨は、商品データリクエスト信号送信手段が商品データサーバに送信する。
前記商品データサーバは、商品データリクエスト信号送信手段が送信した商品データリクエスト信号を受信する。そして、その受信した商品データリクエスト信号から、商品データ抽出手段が商品データサーバに予め記憶された商品データベースを参照し、該当する商品データを抽出する。抽出した商品データは、商品データ送信手段がデジタル記録再生装置に送信する。デジタル記録再生装置は、前記商品データサーバから送信された商品データをテレビに出力させる。出力された商品データに対する購入希望データは、購入希望データ送信手段を用いて前記商品データサーバに送信する。
デジタル記録再生装置のユーザは、デジタル記録再生装置からテレビ画面に出力された映像を視聴した際に、その映像に関連する商品についての商品データが商品データサーバに存在すれば、その商品データをテレビ画面にて視聴することができる。また、その商品データを視聴することによってその商品の購入を決意した場合には、その購入の意思表示を送信することもできる。
【００２２】
（請求項３）
請求項３記載の発明は、請求項１または請求項２に記載の商品購入システムを限定したものである。
すなわち、番組映像またはＣＭ映像と関連するものの商品データとして商品データサーバには未だ記憶されていない未開示商品について、その未開示商品を販売可能である販売者をインターネットにて募集するための未開示商品販売権データを、所定の販売権募集サイトに送信する販売権データ送信手段と、  その販売権募集サイトにおいて落札した販売者からの当該未開示商品に関する販売データである未開示商品データを受信する未開示商品データ受信手段と、受信した未開示商品データを、既に記憶している商品データに追加する商品データ追加手段とを備えたことを特徴とする。
【００２３】
（用語説明）
「未開示商品販売権データ」とは、本願に係る商品購入システムのユーザが未開示商品を購入できるようにするために、当該未開示商品の販売を行うための権利取得に必要なデータをいう。例えば、未開示商品を５００個用意できなければならないといった数量データ、未開示商品を千円以下で販売しなければならないといった販売価格データ、権利取得に必要な金銭面の条件に関する権利対価データなどである。
【００２４】
（作用）
商品データサーバには未だ記憶されていないが、販売が見込まれる商品があったとする。一方、そのような未開示商品を販売したい販売者を募集する販売権募集サイトが予め存在し、その販売権募集サイトに対して、未開示商品販売権データを送信する。
販売権募集サイトにおいて、募集に係る未開示商品販売権データを落札した販売者は、本願に係る商品購入システムに対して、当該未開示商品の売買条件などのデータ（未開示商品データ）を送信する。送信された未開示商品データは、本願に係る商品購入システムの未開示商品データ受信手段が受信する。そして、受信した未開示商品データは、商品データサーバにおける商品データに追加する。これによって、未開示商品が購入可能な商品となる。
【００２５】
（請求項４）
請求項４記載の発明は、請求項１から請求項３のいずれかに記載の商品購入システムを限定したものである。
すなわち、前記デジタル記録再生装置におけるインデックステーブルには、映像ストリームの再生中に、ユーザが所定シーンの頭出しを希望するための操作を行った場合に、その操作によって前記デジタル記録再生装置の記録手段の所定領域に予め確保された頭だし位置としての頭出し信号が記録される電子付箋テーブルを備える。そして、前記制御手段は、前記頭出し信号をユーザが呼び出す操作によって、前記電子付箋テーブルから該当する頭出し信号を抽出するとともに、その抽出された頭出し信号と、前記映像ストリームとを整合させることで、頭出し信号に対応する映像ストリームの再生を開始させるように形成している。
【００２６】
（用語説明）
「電子付箋」とは、ユーザが映像ストリームの特定シーンに印を付与するための頭出し信号のことであり、電子付箋テーブルに記録される。また、電子付箋は、デジタル記録再生装置を使用する複数のユーザ及び映像の種類を識別可能にするために、個人識別を可能にするために色分けがされていたり、名前が表示されていたりする場合もある。
【００２７】
（作用）
映像ストリームの再生中に、ユーザが頭出しを希望するための操作を行う。  その操作によって、希望する頭だし位置が頭だし信号として、デジタル記録再生装置の記録手段の電子付箋テーブルに記録される。  次に、ユーザが頭出しをしたい所定シーンを呼び出す操作をする。  すると、電子付箋テーブルに記録されていた頭出し記録信号が呼び出され、制御手段がその頭出し位置から映像ストリームを開始させる。  電子付箋テーブルに記録された頭出し記録信号をユーザが選択することで、観たい映像シーンのみを容易に視聴することができる。  また、この頭出し位置から映像ストリームを再生した際に、購入希望データの送信をデジタル記録再生装置に行うことで、再生した映像ストリームに係る商品の購入画面に移行し、ユーザは商品の購入が可能となる。
【００２８】
（請求項５）
請求項５記載の発明は請求項１から請求項４のいずれかに記載の商品購入システムを限定したものである。
商品データサーバには、  前記商品データ抽出手段によって商品データリクエスト信号に該当する商品データが抽出されなかった場合に、その抽出されなかった商品データに係る商品を販売可能である販売者をインターネットにて募集するための販売希望者募集データを所定の募集サイトに送信する販売希望者募集データ送信手段と、  その募集サイトにおいて落札した販売者に係るリクエスト商品販売データを受信するリクエスト商品販売データ受信手段と、  その受信したリクエスト商品販売データを前記デジタル記録再生装置に送信するリクエスト商品販売データ送信手段と、を備え、  当該デジタル記録再生装置の制御手段は、リクエスト商品販売データをテレビに出力させることとした。
【００２９】
（作用）
商品データサーバから商品データリクエスト信号に該当する商品データを商品データ抽出手段が抽出できなかった場合に、その抽出できなかった商品データに係る商品を販売可能な販売者を募集するために、販売希望者募集データ送信手段が募集サイトに販売希望者募集データを送信する。募集サイトでは、販売希望者募集データを見た商品販売可能な販売者が落札し、その落札した販売者に係る商品販売データを商品販売データ受信手段が受信する。そして、商品販売データ受信手段が受信した商品販売データを、商品販売データ送信手段がデジタル記録再生装置に送信する。デジタル記録再生装置の制御手段が、商品販売データをテレビに出力させる。
ユーザが購入したいとする商品は、商品データサーバに存在しない場合もある。そのような場合、当該商品にニーズがあることは明らかであり、当該商品を販売することを希望する者を募集し、当該ユーザに紹介することで商取引成立の確率が向上する。
【００３０】
（請求項６）
請求項６記載の発明は、請求項１から請求項５のいずれかに記載の商品購入システムを限定したものである。
すなわち、前記インデックステーブルには、ＣＭ映像に関連した商品データを特定するＣＭ情報文字データを含み、そのＣＭ情報文字データには、ＣＭスポンサー名、当該ＣＭスポンサーに係るサービス名または商品名、ＣＭ出演者名、ＣＭ名称、ＣＭ挿入曲およびＣＭスポンサーの属する業種を含んで構成されていることを特徴とする。
【００３１】
（作用）
請求項６記載の発明によれば、ＣＭ情報文字データにはＣＭスポンサー名、当該ＣＭスポンサーに係るサービス名または商品名、ＣＭ出演者名、ＣＭ名称、ＣＭ挿入曲およびＣＭスポンサーの属する業種などが含まれているので、僅かな印象などを頼りとしてより商品データを検索することができるので、検索効率が向上する。
【００３２】
（請求項７）
請求項７記載の発明は、請求項１から請求項６のいずれかに記載の商品購入システムを限定したものである。
前記インデックステーブルには、番組映像に関係する番組情報文字データを含み、その番組情報文字データは、商品データサーバに記憶された商品データとのリンク構造を備えることによって、商品データとの検索を容易とした。
【００３３】
（作用）
本請求項に係る発明は、ＣＭ映像のように、商品と直接関係する映像ではなく、番組映像として連想される（購入したくなる）商品についてのデータを、ユーザの必要に応じて引き出せるようにしている。具体的には、以下のような作用をなす。
番組情報文字データは、商品データサーバに記憶された商品データとリンクされている。番組情報文字データとしては、番組内の映像に関連する商品に関する商品データに関連付けられている。このため、ユーザは、番組映像から連想する商品についても検索できる。
例えば、番組が「北海道の旅番組」であれば、その「北海道の旅番組」で紹介された「チーズ」や「ワイン」などの複数の商品を、番組情報文字データとして記録される。そして、この「チーズ」や「ワイン」などの番組情報文字データと、商品データサーバに記憶された「チーズ」や「ワイン」という商品データにリンクされている。このため、ユーザは番組映像を視聴中であっても映像に関連する商品についての検索が行える。
【００３４】
（請求項８）
請求項８記載の発明は、請求項１から請求項７に記載の商品購入システムを限定したものである。
すなわち、前記商品データサーバは、前記購入希望データ送信手段から送信された購入希望データを受信する購入希望データ受信手段と、受信したその購入希望データを用いて商品の代金決済を実行する代金決済手段とを備えたことを特徴とする。
【００３５】
（用語説明）
「代金決済手段」とは、たとえば、インターネットショッピングにおいて一般的に普及している課金システムである。郵便局や銀行などの口座から支払い可能な銀行ネット決済、クレジットカードを用いて支払い可能なクレジットカード決済、商品代引きなどのほか、エスクローサービスを採用してもよい。代金決済機能を備えた代金決済用サーバを別途備えている場合もある。
【００３６】
（作用）
前記購入希望データ送信手段から送信された購入希望データを購入希望データ受信手段が受信し、受信したその購入希望データを用いて代金決済手段が商品の代金決済を実行する。デジタル記録再生装置のユーザは、再生している映像に関係する商品の購入の意思表示から代金決済までの一連の処理を本システムによって実施することができる。
【００３７】
（請求項９）
請求項９記載の発明は、請求項１から請求項８に記載の商品購入システムを限定したものである。
前記商品データサーバは、商品データに係る商品に関連する商品についての関連商品データを、当該商品データとのリンク構造を含んで備えたことを特徴とする。
【００３８】
（用語説明）
「商品データに係る商品に関連する商品」とは、商品データに係る商品と所定の関係を有する商品である。例えば、商品データに係る商品が完成品であれば、関連商品は、その完成品の消耗品、組み立て工具などである。また、商品データに係る商品が「タレントＫが着用のブルージーンズ」であるとすると、関連商品データは「タレントＫ着用のブルージーンズ」にテイストが似た商品ということである。このテイストが似た商品というのは、  「タレントＫ着用のブラックジーンズ」などの色違いや非常に似たデザインのものなどが該当する。
関連商品データは、特に商品データが洋服などの服飾品である場合にメリットが高い。これは、一般的にタレントが着用した洋服は欲しく同じ格好をしたい、という願望は多くのユーザが持ち合わせている。しかし、全く同じ洋服を他人が着用していた場合には非常に気まずいということを想定すると躊躇してしまう。一方で関連商品データである「タレントＫ着用のブラックジーンズ」ならば、タレントと同じ格好をするという満足感と、同じ商品を購入した他人と会ってしまっても、色違いであれば、購入に踏み切れるユーザが多いことが予想されるからである。
なお、上記の場合、商品データサーバには、「タレントＫ着用のブルージーンズ」に加え、関連商品データとしての「タレントＫ着用のブラックジーンズ」という商品データも記憶されていることとなる。
【００３９】
（作用）
商品データサーバには、商品データに係る商品に関連する商品についての関連商品データをも記録されており、その関連商品データは、当該商品データとのリンク構造を含んでいる。このため、ユーザとしては、商品選択の余地が広がるとともに、即応性に優れた商品購入が可能となる。
【００４０】
（請求項１０）
請求項１０記載の発明は、番組映像およびＣＭ映像からなる映像ストリームを記録可能であるとともに、記録した映像ストリームを再生出力可能なテレビに接続可能なデジタル記録再生装置に係る。
すなわち、映像ストリームの番組映像またはＣＭ映像の開始時刻および終了時刻や文字情報を含むインデックステーブルを記憶したインデックスサーバからインデックステーブルを受信するインデックステーブル受信手段と、  番組映像またはＣＭ映像と関連する商品データを記憶した商品データサーバから商品データを受信する商品データ受信手段と、  受信したインデックステーブルを用いてテレビに映像を再生させるとともに商品データ受信手段が受信した商品データをテレビに出力させることが可能な制御手段と、  テレビに出力されたその商品データに対する購入希望データを前記商品データサーバに送信する購入希望データ送信手段とを、備えたことを特徴とする。
【００４１】
請求項１０記載の発明は、映像ストリームの番組映像またはＣＭ映像の開始時刻および終了時刻や文字情報を含むインデックステーブルを記憶したインデックスサーバと、番組映像またはＣＭ映像と関連する商品データを記憶した商品データサーバとともに用いられる。本請求項に係るデジタル記録再生装置は、インデックスサーバおよび商品データサーバとは、インターネットを介してデータの受信および送信が可能である。
デジタル記録再生装置、インデックスサーバおよび商品データサーバによって構成されるシステムは、請求項１に記載した作用をなす。
【００４２】
（請求項１１）
請求項１１記載の発明は、請求項１０に記載のデジタル記録再生装置を限定したものである。
すなわち、再生された映像に関連する詳細な商品データをリクエストする旨の商品データリクエスト信号を検知する商品データリクエスト信号検知手段と、  その商品データリクエスト信号を検知した旨を商品データサーバに送信する商品データリクエスト信号送信手段と、を備え、  商品データ受信手段は、商品データサーバが商品データリクエスト信号に該当する商品データを抽出して送信した商品データを受信することとしたことを特徴とする。
【００４３】
（請求項１２）
請求項１２記載の発明は、請求項１０または請求項１１に記載のデジタル記録再生装置を限定したものである。
すなわち、前記映像ストリームの再生中に、ユーザが所定シーンの頭出しを希望するための操作を行った場合に、その操作によって前記デジタル記録再生装置の記録手段の所定領域に予め確保された頭だし位置としての頭出し信号が記録される電子付箋テーブルを備え、前記制御手段は、前記ユーザの頭出し信号を呼び出す操作によって、前記電子付箋テーブルから該当する頭出し信号を抽出するとともに、その抽出された頭出し信号と、前記映像ストリームとを整合させることで、頭出し信号に対応する映像ストリームを開始させることとした。
【００４４】
（請求項１３）
請求項１３記載の発明は、番組映像およびＣＭ映像からなる映像ストリームを記録可能であるとともに、記録した映像ストリームを再生出力可能なテレビに接続可能なデジタル記録再生装置の制御プログラムに係る。
そのプログラムは、映像ストリームの番組映像またはＣＭ映像の開始時刻および終了時刻や文字情報を含むインデックステーブルを記憶したインデックスサーバからインデックステーブルを受信するインデックステーブル受信手順と、  番組映像またはＣＭ映像と関連する商品データを記憶した商品データサーバから商品データを受信する商品データ受信手順と、  受信したインデックステーブルを用いてテレビに映像ストリームを再生させるとともに商品データ受信手段が受信した商品データをテレビに出力させる制御手順と、  テレビに出力されたその商品データに対する購入希望データを前記商品データサーバに送信する購入希望データ送信手順と、をデジタル記録再生装置の制御コンピュータに実行させることとしたコンピュータプログラムである。
【００４５】
（請求項１４）
請求項１４記載の発明もまた、番組映像およびＣＭ映像からなる映像ストリームを記録可能であるとともに、記録した映像ストリームを再生出力可能なテレビに接続可能なデジタル記録再生装置の制御プログラムに係る。
そのプログラムは、映像ストリームの番組映像またはＣＭ映像の開始時刻および終了時刻や文字情報を含むインデックステーブルを記憶したインデックスサーバからインデックステーブルを受信するインデックステーブル受信手順と、  受信したインデックステーブルを用いてテレビに映像を再生させる制御手順と、  再生された映像に関連する詳細な商品データをリクエストする旨の商品データリクエスト信号を検知する商品データリクエスト信号検知手順と、  その商品データリクエスト信号を検知した旨を商品データサーバに送信する商品データリクエスト信号送信手順と、  商品データリクエスト信号に関わる商品データを商品データサーバから受信する商品データ受信手順と、  受信した商品データをテレビに出力させる商品データ出力手順と、  テレビに出力されたその商品データに対する購入希望データを前記商品データサーバに送信する購入希望データ送信手順と、をデジタル記録再生装置の制御コンピュータに実行させることとしたコンピュータプログラムである。
【００４６】
（請求項１５）
請求項１５記載の発明は、  請求項１３または請求項１４に記載のコンピュータプログラムを限定したものである。
すなわち、番組映像またはＣＭ映像と関連するものの商品データとして商品データサーバには未だ記憶されていない未開示商品について、その未開示商品を販売可能である販売者をインターネットにて募集するための未開示商品販売権データを、所定の販売権募集サイトに送信する販売権データ送信手順と、
その販売権募集サイトにおいて落札した販売者からの当該未開示商品に関する販売データである未開示商品データを受信する未開示商品データを受信する未開示商品データ受信手順と、
受信した未開示商品データを、既に記憶している商品データに追加する商品データ追加手順とをデジタル記録再生装置の制御コンピュータに実行させることとした請求項１３または請求項１４に記載のコンピュータプログラム。
【００４７】
（請求項１６）
請求項１６記載の発明は、  請求項１３から請求項１５のいずれかに記載のコンピュータプログラムを限定したものである。
すなわち、前記映像ストリームの再生中に、ユーザが所定シーンの頭出しを希望するための操作を行った場合に、その操作によって前記デジタル記録再生装置の記録手段の所定領域に予め確保された頭だし位置としての頭出し信号が記録される電子付箋テーブルを備え、前記制御手順は、前記ユーザの頭出し信号を呼び出す操作によって、前記電子付箋テーブルから該当する頭出し信号を抽出するとともに、その抽出された頭出し信号と、前記映像ストリームとを整合させることで、頭出し信号に対応する映像ストリームを開始させることとした。
【００４８】
請求項１３から請求項１６に記載のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、この発明に係るプログラムを格納したコンピュータから、通信回線を通じて他のデジタル記録再生装置へ伝送することも可能である。
【発明の効果】
【００４９】
請求項１から請求項９に記載の発明によれば、アナログ放送を録画した映像を視聴しているユーザが、映像に関係する商品やサービスに興味もった際に、迅速かつ容易に商品情報や商品購入を実現可能なシステムを提供することができた。
請求項１０から請求項１２に記載の発明によれば、アナログ放送を録画した映像を視聴しているユーザが、映像に関係する商品やサービスに興味もった際に、迅速かつ容易に商品情報や商品購入を実現可能なデジタル記録再生装置を提供することができた。
請求項１３から請求項１６に記載の発明によれば、アナログ放送を録画した映像を視聴しているユーザが、映像に関係する商品やサービスに興味もった際に、迅速かつ容易に商品情報や商品購入を実現可能なデジタル記録再生装置の制御プログラムを提供することができた。
本願発明によれば、録画視聴者に対して、商品の詳細な情報をタイムリーに提供でき、ＣＭや番組映像を通して映像を見ながらその場で商品購買を可能にするため、ＣＭや番組映像に基づく販売促進効果を向上させることに寄与する。
【発明を実施するための最良の形態】
【００５０】
本願発明を、実施形態および図面を用いて更に詳しく説明する。ここで使用する図面は図１から図１２である。
図１は、本発明に係る商品購入システムの全体構成を示す概略図であり、図２は、デジタル記録再生装置のハードウェア構成を示したブロック図であり、図３は、インデックスサーバのハードウェア構成を示したブロック図であり、図４は、映像ストリームとインデックステーブルとの関係について説明した図であり、図５は、ＣＭ商品データサーバのハードウェア構成を示したブロック図である。
また図６は、インデックステーブルに記憶されたＣＭ情報文字データとＣＭ映像との対応関係について説明した図であり、図７は、番組映像がテレビに表示された状態で、買い物実行ボタンを押したときに表示される画面を示した図である。
図８は、ＣＭ映像画面から商品購入までの処理を示したフローチャートであり、図９は、ＣＭ映像中に買い物実行ボタンを押した際に表示される画面を示した図であり、図１０は、所定の商品を選択した際に移行する商品詳細説明と購入画面を示した図であり、図１１は、ＣＭ検索機能を実行した際に表示される画面を示した図であり、図１２は、ＣＭ検索機能を用いて表示されたＣＭ検索結果画面を示した図である。
【００５１】
図１に示すように、商品購入システムは、テレビ５０に映し出されたＣＭ映像の商品を、ボタン一つで迅速に購入手続きに移行可能なシステムであって、番組映像およびＣＭ映像からなる映像ストリームが記憶されたデジタル記録再生装置１０と、そのデジタル記録再生装置１０に映像ストリームの再生信号を送信する機能を備えたインデックスサーバ３０と、デジタル記録再生装置１０から出力された映像ストリームが表示されるテレビ５０と、ＣＭ映像に関連する商品データが記憶されたＣＭ商品データサーバ６０とから構成されている。そして、デジタル記録再生装置１０、インデックスサーバ３０およびＣＭ商品データサーバ６０は、通信手段を介してインターネット接続されたシステムとなっている。
【００５２】
ＣＭ映像に関連する商品の購入に際しては、テレビ５０の画面上にＣＭ映像が表示されている間に、デジタル記録再生装置１０を操作するユーザがリモートコントローラ４０の「買い物実行ボタン」を押すと、ＣＭ商品データサーバ６０に対して「買い物実行ボタン」が押された時のＣＭ映像に関連する商品データを商品データベース６３から検索する。そして、商品データベース６３から該当する商品データが抽出されると、その商品データをデジタル記録再生装置１０に送信して、テレビ画面に表示する。ユーザは、テレビ５０の画面上に表示された商品データから所望する商品データを選択すれば、買い物を行うことができるようになっている。
【００５３】
（デジタル記録再生装置）
図２はデジタル記録再生装置１０のハードウェア構成を示したものである。デジタル記録再生装置１０は、テレビ５０からのテレビジョン信号の電波を受信するアンテナ１１と、アンテナ１１が受信した電波をユーザの指定したチャンネルの電波として選択し、アナログのテレビジョン信号に復調する複数のチューナ１２と、その複数のチューナ１２からのアナログ信号を映像用およびオーディオ用のデジタル信号へそれぞれ変換するＡ／Ｄコンバータ１３ａ、１３ｂとを備える。
また、Ａ／Ｄコンバータ１３ａおよび１３ｂによって変換されたデジタル信号のうち、映像信号を受信するＭＰＥＧエンコーダ１４と、音声信号を受信するオーディオエンコーダ１５と、ＭＰＥＧエンコーダ１４およびオーディオエンコーダ１５によって圧縮符号化された映像信号および音声信号を受信し、圧縮符号化されたストリームを多重化してＭＰＥＧのシステムストリーム（映像ストリーム）に変換するマルチプレクサ１６と、番組映像を記録するとともに、ランダムアクセス可能な複数のハードディスクドライブ（以下、ＨＤＤと表記する）１７（１７ａ，１７ｂ）と、ＨＤＤ１７に対してデータの書き込み、読み出しおよび各種制御を行うＨＤＤ制御部１８と、そのＨＤＤ１７から読み出されたＭＰＥＧストリームを映像信号のストリームと音声信号のストリームとに分離するデマルチプレクサ１９と、映像信号のストリームを受信するＭＰＥＧデコーダ２０とを備える。
更に、音声信号のストリームを受信するオーディオデコーダ２１と、ＭＰＥＧデコーダ２０がデコードした映像信号のストリームを受信し、受信した映像信号をアナログ信号に変換してＴＶに出力するデジタルアナログ（Ｄ／Ａ）コンバータ２２ａと、オーディオデコーダ２１がデコードした音声信号のストリームを受信し、受信した音声信号をアナログ信号に変換してスピーカ等に出力するＤ／Ａコンバータ２２ｂを備えている。
【００５４】
デジタル記録再生装置１０全体の制御を行うＣＰＵ２３と、ＣＰＵ２３の作業領域およびシステムストリームを一時的に記憶するとともに、ＨＤＤ１７に記録するための作業領域として使用されるメモリ２４と、リモートコントローラ４０やデジタル記録再生装置本体の入力部２８からの各種の入力信号を受信し、その入力信号をＣＰＵ２３に送信する信号受信部２５とを備える。また、ＬＡＮおよびＷＡＮと接続され、インターネット通信が可能であるとともに、ＥＰＧや時刻データを受信する機能およびユーザに係る視聴データを送信する機能を備えたネットワークコントローラ２６をも備える。
また、ネットワークコントローラ２６のＮＴＰ（Network Time Protocol）を用いてタイムサーバにアクセスし、現在時刻を問い合わせて時刻データを同期させるリアルタイムクロック２６ｂを備える。更に、番組映像の再生時や編集時において、それらの映像が表示された状態でメニュー画面をオーバーレイさせてメニュー操作を可能とするＯＳＤ（On Screen Display）２７と、録画された番組映像をＤＶＤなどの光ディスクに記録するためのＤＶＤドライブ２９とを備えている。
【００５５】
デジタル記録再生装置１０は、映像ストリームの再生信号を受信すると、テレビ５０の画面上に番組映像およびＣＭ映像を再生するとともに、ユーザから送信された買い物実行信号を受信する買い物実行信号受信手段と、買い物実行信号を受信した際に、テレビ５０の画面上に所定のＣＭ映像が表示されているか否かを判別するＣＭ映像表示判別手段を備える。
また、そのＣＭ映像表示判別手段がテレビ５０にＣＭ映像が表示されていると判別した場合に、その表示されているＣＭ映像に該当する商品データリクエスト信号を、ＣＭ商品データサーバ６０にネットワークコントローラ２６を介して送信する商品データリクエスト信号送信手段と、を備えている。
【００５６】
デジタル記録再生装置１０は更に、ＣＭ商品データサーバ６０から送信された商品データを受信するとともに、その商品データをテレビ５０の画面上に表示する商品データ表示手段と、その商品データ表示手段に表示された複数の商品データからユーザが所定の商品データを選択した場合に、その選択された商品データを受信する商品データ選択信号受信手段と、その商品データ選択信号を購入希望データとしてＣＭ商品データサーバ６０に送信する購入希望データ送信手段と、を備えている。
ここで、「映像ストリーム」とは、デジタル記録再生装置１０のＨＤＤ１７に記録され、テレビ番組の映像である番組映像およびテレビコマーシャルの映像であるＣＭ映像の二つの映像から構成されたアナログ映像信号のことであり、この映像ストリームに記録された番組映像およびＣＭ映像は、各種インデックス情報からなるインデックステーブル３０によって、該当する番組映像およびＣＭ映像を特定して再生表示する。
【００５７】
ＣＭ映像表示判別手段は、ユーザがリモートコントローラ４０の買い物実行ボタンを押したときに、デジタル記録再生装置１０が再生中の映像ストリームにおいて、テレビ５０にＣＭ映像が正常に表示されているか否かを判別する機能である。仮にＣＭ映像ではなく、番組映像が表示されていると判別されれば、テレビ画面上にエラー表示を出力して、買い物実行信号を受けつけない。ただし、番組映像内に商品データが紹介されている場合には、当該番組映像から商品データの購入画面へ移行する。
【００５８】
購入希望データとは、ユーザが選択した商品を購入するためにＣＭ商品データサーバ６０に送信するデータである。この購入希望データには、デジタル記録再生装置１０からＣＭ商品データサーバ６０のショッピングサイトで商品が購入された場合に、ロイヤリティを受け取るための識別子が記録されている。つまり、ＣＭ映像を提供しているＣＭスポンサーに対して、「デジタル記録再生装置１０経由で商品が売れた」ことを証明する識別子である。これを利用してアフィリエイトシステムの形態を採用するようにしても良い。
【００５９】
（インデックスサーバ）
図３は、インデックスサーバ３０のハードウェア構成を示した図である。
インデックスサーバ３０は、デジタル記録再生装置１０と通信手段３６を介してインターネット接続されており、デジタル記録再生装置１０がリモートコントローラ４０等から番組映像およびＣＭ映像の再生信号を受信した際に、どの番組映像およびＣＭ映像を再生するかを決定するためのインデックス情報をデジタル記録再生装置に配信する機能を備えている。
【００６０】
配信されたインデックス情報は、番組映像やＣＭ映像の開始位置と終了位置とを記録した「記録位置テーブル」、個々の番組映像の放送局、番組タイトル、放送日および放送時間を特定した「番組情報テーブル」および企業名、商品名、放送日、放送時間、出演者およびＣＭ曲を特定した「ＣＭ情報テーブル」、ユーザが映像ストリームの特定シーンに印を付与するための頭出し信号が記録された「電子付箋テーブル」など、複数のインデックス情報を有するインデックステーブル３３として構成されている。
【００６１】
インデックスサーバ３０のハードウェア構成としては、ＣＰＵ（Central Processing Unit：中央処理装置）やメインメモリ等により構成され、各種演算処理を行う演算処理部３１、オペレーティングシステム、アプリケーションソフトなどの各種データおよび前述の各テーブルに加え、番組映像を検索するための番組情報文字データおよびＣＭ映像を検索するためのＣＭ情報文字データが記録されたインデックステーブル３３が記憶される記憶部３２、マウスやキーボード等の入力手段３４、ディスプレイ等の表示手段３５、インターネットやイントラネットなどの電気通信回線に接続可能な通信手段３６、各種データをプリンタ等に出力可能な出力手段３７および各種データの入出力部である入出力ポート３８を備えて構成されている。
【００６２】
ここで、映像ストリームとインデックステーブル３３との関係について図４を参照して説明する。
図４（ａ）は、ＨＤＤ１７に記録された番組映像およびＣＭ映像の記録位置を示した映像ストリームの図であり、図４（ｂ）は、上から「記録位置テーブル」、「番組情報テーブル」および「ＣＭ情報テーブル」を示している。
【００６３】
記録位置テーブルには、 [ＩＤ]、[開始位置]および[終了位置]という情報を保持している。例えば、ID「番組１」では、開始位置は『Ａ１』で、終了位置は『Ａ２』であることが分かる。また、ID「ＣＭ１」では開始位置が『Ａ２』で、終了位置は『Ａ３』という情報を保持している。
番組情報テーブルには、[ＩＤ]、[放送局]、[番組タイトル]、[放送日]、[放送時間] という情報を保持している。例えば、ID「番組１」では、放送局は『ブジテレビ』、番組タイトルは『笑っている場合ですよ』、放送日は『１０月１日』、放送時間は『１２：００〜１２：５４』となっている。
ＣＭ情報テーブルには、[ＩＤ]、[企業名]、[商品名]、 [放送日]、[放送時間]、[出演者]、[ＣＭ曲] という情報を保持している。例えば、ID「ＣＭ１」では、企業名は『ホヨタ』、商品名は『クラウン』、放送日は『１０月１日』、放送時間は『１２：００：００〜１２：５４：３０』、出演者は『役所弘』、ＣＭ曲は『風の中』となっている。
【００６４】
すなわち、各テーブルは、番組映像やＣＭ映像がデジタル記録再生装置１０に記録された日時情報としてのタイムスタンプとして機能するとともに、番組映像においては番組タイトルや番組コーナー、ＣＭ映像においては企業名、商品名および出演者などの各種インデックス情報を保持することで、より詳細な設定で番組映像およびＣＭ映像を再生表示することが可能となっている。
【００６５】
（ＣＭ商品データサーバ）
図５は、ＣＭ商品データサーバ（商品データサーバ）６０のハードウェア構成を示した図である。
ＣＭ商品データサーバ６０は、複数のショッピングサイト（電子商店）から構成された、いわゆる「ショッピングモール」を運営するコンピュータの一つを示している。このショッピングモールには、運営者と契約済みのテナントユーザが、ＣＭ商品データサーバ６０のＷｅｂスペースにバーチャル店舗としてのショッピングサイトを構築し、そのショッピングサイトにインターネット経由でアクセスしてきたユーザが商品を購入することによって運営されることになる。
【００６６】
ＣＭ商品データサーバ６０のハードウェア構成としては、ＣＰＵやメインメモリ等により構成され、各種演算処理を行う演算処理部６１、オペレーティングシステムおよびアプリケーションソフトなどの各種データが記憶される記憶部６２、ＣＭ映像に関連する複数の商品データが記憶される商品データベース６３、マウスやキーボード等の入力手段６４、ディスプレイ等の表示手段６５、インターネットやイントラネットなどの電気通信回線に接続可能な通信手段６６、各種データをプリンタ等に出力可能な出力手段６７および各種データの入出力部である入出力ポート６８を備えて構成されている。
【００６７】
また、ＣＭ商品データサーバ６０は、次の機能を少なくとも備えている。
デジタル記録再生装置１０の商品データリクエスト信号送信手段が送信した商品データリクエスト信号を受信する商品データリクエスト信号受信手段、受信した商品データリクエスト信号をもとに、予め商品データベース６３に記憶された商品データから、該当する商品データを抽出する商品データ抽出手段、その抽出した商品データをデジタル記録再生装置６０に送信する商品データ送信手段、デジタル記録再生装置１０から送信された購入希望データを受信する購入希望データ受信手段、その受信した購入希望データに基づいて、商品の代金決済を実行する代金決済手段を備えている。
【００６８】
（商品データベース）
商品データベース６３は、ＣＭ商品データサーバ６０の記憶部の一部として形成された外部記憶装置であり、番組映像またはＣＭ映像に関連する複数の商品データが記憶されているデータベースである。より具体的には、ＣＭ商品データサーバ６０が管理する複数のショッピングサイト内の複数の商品データが記憶されている。例えば、ユーザが選択した番組映像またはＣＭ映像に関連する商品が「商品Ｚ」であるとインデックステーブル３３の中のＣＭ情報文字データで指定されている場合、その「商品Ｚ」を提供しているショッピングサイトがショッピングモール内に５０店舗あるとする。この場合、５０店舗の全ての「商品Ｚ」が抽出されて、デジタル記録再生装置１０に送信されてテレビ５０に表示可能とすることができる。
【００６９】
（代金決済）
商品購入システムにおける代金決済手段は、インターネットショッピングにおいて一般的に普及している課金システムを採用している。これには、郵便局や銀行などの口座から支払い可能な銀行ネット決済、クレジットカードを用いて支払い可能なクレジットカード決済および商品代引きなどが主であるが、このほか、エスクローサービスを採用していても良い。また、代金決済機能を備えた代金決済用サーバを別途備えている場合もある。この場合には、ＣＭ商品データサーバ６０に対してイントラネット等によるネットワーク接続されたサーバであり、ファイアウォールによってＣＭ商品データサーバ６０とは物理的に隔離され、ＳＳＬなどのデータ暗号化機能によってユーザ個人情報を暗号化することで代金決済を実現している。
また、代金決済用サーバには、番組映像またはＣＭ映像に関連する商品データを提供しているショッピングサイト用のサーバなども該当する。つまり、代金決済用サーバをＣＭ商品データサーバ６０とは別途備えていれば、安全にショッピングを実施することができる。
【００７０】
（ＣＭ情報文字データ）
図６は、インデックステーブル３３に記憶されたＣＭ情報文字データとＣＭ映像との対応関係について説明した図である。
図６に示すように、インデックステーブル３３には、各ＣＭ映像に対応し、商品データベース６３から商品データを検索および抽出する際に必要となるＣＭ情報文字データが記憶されている。
【００７１】
ＣＭ情報文字データは、左からＣＭ映像を特定する［ＩＤ］、ＣＭスポンサーの［企業名］、［商品名］となっている。ＣＭ映像１においては、提供している企業名が［○×電機株式会社］、商品名が［V−PC3000］であるので、ＣＭ映像１に対応しているＣＭ情報文字データは、［○×電機株式会社］と［V−PC3000］となる。また、ＣＭ映像２では、提供している企業名が［△△製菓］、商品名が［限定プリン］であるので、ＣＭ映像２に対応しているＣＭ情報文字データは、［△△製菓］と［限定プリン］となる。
なお、説明の便宜上省略しているが、ＣＭ情報文字データには、前述した［企業名］や［商品名］のほか、「ＣＭ出演者名」、「ＣＭ名称」、「ＣＭ挿入曲」および「ＣＭスポンサーの属する業種」などの各データが含まれている場合もある。
【００７２】
番組映像に商品データが結び付けられている場合には、複数のスポンサーや複数の商品が該当することが考えられる。このため、ＣＭ情報文字データにはスポンサー名や商品名が複数存在していることになる。この場合、複数のスポンサーおよび商品が一覧表示され、ユーザの任意によって適宜選択することができる。
【００７３】
（番組映像からの商品購入）
なお、上述してきた実施形態ではＣＭからの商品購入が可能なシステムを説明してきたが、本願発明に係るシステムでは、番組映像からの商品購入も可能となっている。これは、商品データベース６３に記憶された商品データが、「番組情報文字データ」に関連付けられることで実現されている。つまり、ＣＭ映像のほか、番組映像内に商品が配置されていたり、番組映像として商品が紹介されていたりした場合には、番組映像から商品購入が可能となる。
すなわち、ＣＭ映像のように、商品と直接関係する映像ではなく、番組映像として連想される（購入したくなる）商品についてのデータを、ユーザの必要に応じて引き出せるようにしている。
【００７４】
番組情報文字データは、商品データサーバに記憶された商品データとリンクされている。番組情報文字データとしては、番組内の映像に関連する商品に関する商品データに関連付けられている。このため、ユーザは、番組映像から連想する商品についても検索できる。
例えば、番組が「北海道の旅番組」であれば、その「北海道の旅番組」で紹介された「チーズ」や「ワイン」などの複数の商品を、番組情報文字データとして記録される。そして、この「チーズ」や「ワイン」などの番組情報文字データと、商品データサーバに記憶された「チーズ」や「ワイン」という商品データにリンクされている。このため、ユーザは番組映像を視聴中であっても映像に関連する商品についての検索が行える。
なお、ＣＭ商品データサーバ６０は、番組映像に関連する商品データを備えており、番組映像から商品を購入する際にも、使用されるサーバである。ただし、番組商品データサーバとして別途設置しておき、番組映像に関連する商品のみを商品データベースに記憶しておき、ユーザからのレスポンスに応答するような形態とすることもできる。
【００７５】
図７は、番組映像がテレビ５０に表示された状態で、買い物実行ボタンを押したときに表示される画面である。すなわち、ユーザが買い物実行ボタンを押すと、図７の下側に、番組映像内で紹介された複数の商品がオーバーレイされる。この商品群をスライドさせて所定の商品を選択すると、画面中央付近に、「買い物かごに入れる」、「商品について問い合わせ」、「友達にオススメする」、「ＰＣに情報を転送する」、「キャンセルして買い物モードを終了」という各種選択項目が表示される。ここで、所定の商品を選択し、「買い物かごに入れる」という操作を行えば、代金決済画面に移行することになる。
【００７６】
（商品検索の自動実行）
また、ＣＭ商品データサーバ６０には、商品検索情報の自動入力機能を備えている。これは、各番組映像やＣＭ映像にＣＭ情報文字データが関連付けされているので、買い物実行ボタンを押すことでインデックステーブル３３に記憶されたＣＭ情報文字データをもとにして、関連する商品データの情報を受信して検索を自動実行する機能である。ＣＭ情報文字データの受信の際は、スポンサー名および商品名を［and検索］とした検索用アルゴリズムが使用され、買い物ボタンを押すことによって検索が自動実行される。例えば、ＣＭ映像１であれば、［○×電機株式会社＊V−PC3000］のように検索が実行されることになる。
【００７７】
すなわち、ＣＭ商品データサーバ６０は、デジタル記録再生装置１０を介して受信したＣＭ情報文字データによって、商品データベースからＣＭ情報文字データに応じた商品データを検索して抽出する。ユーザが送信した買い物実行信号をトリガーとして、番組映像やＣＭ映像に関連付けられた商品データの検索を実行することになる。このため、通常であれば、ユーザが商品購入前に実施する必要のある検索式の入力を省略できる。
【００７８】
（ＣＭ映像画面からの商品購入）
次に、ＣＭ映像画面から商品購入までの処理について図８を参照して説明する。
ユーザは、テレビ画面に所望するＣＭ映像が表示されている時に、デジタル記録再生装置１０のリモートコントローラ４０を用いて買い物実行信号を送信する（Ｓ１０１）。デジタル記録再生装置１０は、リモートコントローラ４０から送信された買い物実行信号を受信する（Ｓ１０２）。買い物実行信号の受信を検知すると、テレビ５０にＣＭ映像が正常に表示されているか否かを判別する（Ｓ１０３）。テレビ５０にＣＭ映像が表示されていれば、ネットワークコントローラ２６がＣＭ商品データサーバ６０との間でインターネット接続を確立させて、その表示されているＣＭ映像に該当する商品データリクエスト信号を、ＣＭ商品データサーバ６０に送信する（Ｓ１０４）。一方、テレビ５０にＣＭ映像が表示されていなければ、受信エラーをテレビ画面に表示する（Ｓ１０５）。
【００７９】
ＣＭ商品データサーバ６０は、商品データリクエスト信号を受信し（Ｓ１０６）、商品データベース６３に予め記憶されている商品データから商品データリクエスト信号に該当する商品データを抽出する（Ｓ１０７）。そして、抽出した商品データをデジタル記録再生装置１０に送信する（Ｓ１０８）。
【００８０】
デジタル記録再生装置１０は、ＣＭ商品データサーバ６０から送信された商品データを受信すると（Ｓ１０９）、テレビ５０にその商品データを表示させる（Ｓ１１０）。ここで、ユーザがリモートコントローラ４０を用いてテレビ５０に表示された複数の商品データの中から所定の商品データを選択した場合、その選択した商品データ選択信号を送信する（Ｓ１１１）。デジタル記録再生装置１０は、ユーザから送信された商品データ選択信号を受信すると（Ｓ１１２）、その選択された商品データを購入希望データとしてＣＭ商品データサーバ６０に送信する（Ｓ１１３）。ＣＭ商品データサーバ６０は、購入希望データを受信する（Ｓ１１４）。
【００８１】
図９は、ＣＭ映像中に買い物実行ボタンを押した際に表示される画面を示した図であり、図１０は、A店を選択した場合の商品詳細説明と購入画面である。ここでは、図７に示したＣＭ映像１を例として説明する。
【００８２】
ユーザは、テレビ視聴中にテレビ画面に［○×電機株式会社］のパソコン［V−PC3000］が表示され、このパソコンに興味を示した。このため、ユーザはリモートコントローラ４０を用いて買い物実行ボタンを押した。すると、テレビ画面が切り替わり、複数の店舗（図１０ではＡ店、Ｂ店、Ｃ店）における［V−PC3000］の商品画像、価格情報および詳細情報が表示された。価格情報においては、デフォルトでは低価格順にソートされているが、画面上部にある価格が高い順、新着順などのボタンを押すことによって、任意に設定変更可能となっている。また、詳細情報においては、［V−PC3000］がハイパーリンクとなっており、これを選択することにより、商品仕様やクチコミ情報などが閲覧可能となっている。
【００８３】
ここでユーザは、価格の最も安いＡ店での購入を希望し、右端にある［購入］を選択した。すると、A店での商品情報の詳細説明と購入画面に切り替わる。この画面では、図１０に示すように、ユーザが選択した［V−PC3000］のスペック、画像および価格などの情報と、「買い物かごに入れる」、「商品について問い合わせ」、「友達にオススメする」、「ＰＣに情報を転送する」、「キャンセルして買い物モードを終了」という各種選択項目が表示される。
【００８４】
ユーザは、Ａ店での購入を決定したので、「買い物かごに入れる」を選択し、決済手続きに移行した。決済手続きとしては、クレジットカード決済を選択した。ユーザは、入力フォームに、氏名、住所などのユーザデータやクレジットカードに関するカードデータを入力し、ＳＳＬによって暗号化された状態でショッピングサイトに送信する。なお、これらのデータ入力には、デジタル記録再生装置１０に搭載されているＵＳＢ等の外部入力ポート（図示は表示しない）にキーボードを接続すればデータ入力が容易となる。
【００８５】
以上のように、本システムを利用すれば、ユーザがデジタル記録再生装置１０からテレビ画面に出力された番組映像やＣＭ映像を視聴した際に、その番組映像やＣＭ映像に関連する商品の購入が可能となる。通常のインターネットショッピングとの違いとしては、ＰＣを起動し、Ｗｅｂブラウザを立ち上げてインターネットに接続し、検索エンジンから番組映像やＣＭ映像に係る商品を入力して検索し、該当するショッピングサイトに移動するという各種の作業を必要としない点である。つまり、気になった商品があれば、番組映像やＣＭ映像を見ている途中に買い物ボタンを押すだけでショッピングサイトにスムーズに移行できる。
特に、ＰＣ操作やインターネットに不慣れなユーザ（たとえば高齢者）にとってのメリットは大きい。また、買い物実行ボタンを押すだけで、ＣＭ商品データサーバはＣＭ情報文字データをもとに自動的に検索を実行するので、商品検索に必要な文字入力作業を必要としておらず、商品型番の入力間違いなども起こらない。
【００８６】
（ＣＭ検索機能）
また、本システムは、デジタル記録再生装置側でＣＭ検索機能を備えている。これは、ユーザが入力したＣＭ情報文字データを受信すると、その受信したＣＭ情報文字データに基づいてＨＤＤ１７に記憶されたＣＭ映像を検索するＣＭ映像検索手段、そのＣＭ映像検索手段が検索したＣＭ映像を抽出して再生するＣＭ映像再生手段からなる。
このＣＭ検索機能は、ユーザがリモートコントローラ４０やキーボード等の入力手段を用いて所望する商品の検索を実施すると、ＣＭ映像検索手段がＨＤＤ１７の映像ストリームを参照し、検索に使用されたＣＭ情報文字データに基づいたＣＭ映像を検索する。そして、ＣＭ映像再生手段が、検索されたＣＭ映像を抽出するとともに、そのＣＭ映像をテレビ画面に再生表示する。
【００８７】
図１１は、ＣＭ検索機能を実行した際の画面である。ＣＭ検索手順としては、左から［あ行］、［か行］、［さ行］、［た行］、［な行］、［は行］、［ま行］、［や行］、［ら行］、［わ行］という［行］が配置されているので、選択カーソル１を上下にスライドさせて所望する［行］に移動させる。ここで［あ行］を選択したとすると、［あ］、［い］、［う］、［え］、［お］という項目が新たに表示されるので、選択カーソル２を右にスライドさせてから、選択カーソル１を上下にスライドさせて所望する項目に移動させる。ここでは、［あ］を選択したとすると、右側に［あ］から始まる企業名や出演者名が新たに表示されるので、選択カーソル１を用いて表示されたＣＭを選択する。
【００８８】
図１２は、ＣＭを選択した後に表示されるＣＭ検索結果を示した画面である。例えば、［日サン］というＣＭ情報文字データを使ってＣＭ検索をした場合、［日サン］の検索結果が表示される。ここでは、検索によって２６本のＣＭが検索されたので、［日サン］のＣＭが［２６本ありました］と表示され、検索された各ＣＭが一覧表示される。左側から［企業名］、［ＣＭタイトル］、［出演者］などのＣＭ詳細情報が表示される。ユーザは選択カーソルを上下にスライドさせて、視聴を希望するＣＭを選択すれば、選択したＣＭがテレビ５０に再生表示される。
【００８９】
すなわち、デジタル記録再生装置１０にＣＭ映像のみの検索機能を備えたことで、ユーザは、所望する商品やサービスのCM映像を好きな時に検索して再生することができるため、便利である。また、ＣＭ検索機能によりユーザのＣＭ映像の閲覧機会が増えることからＣＭスポンサーにとってはＣＭ効果の向上が期待できる。これにより、商品やサービスの販売促進にも寄与する。
【００９０】
30秒スキップ機能を利用してＣＭ映像を飛ばして番組映像のみを視聴する視聴者に対しては、ＣＭスポンサーが提供する商品やサービスの閲覧機会を損なうおそれがあり、ＣＭスポンサーにとっては好ましくない機能であった。しかし、スキップ機能を搭載しているデジタル記録再生装置を用いて本システムを組んだとしても、ＣＭ検索機能によって検索されたＣＭスポンサーの商品が購入される機会を提供しており、ＣＭスポンサーにとっても好適なシステムとなっている。
【００９１】
（オークション機能）
本システムではオークション機能を備えている。これは、ＣＭ商品データサーバ６０には、  商品データ抽出手段によって商品データリクエスト信号に該当する商品データが抽出されなかった場合に、その抽出されなかった商品データに係る商品を販売可能である販売者をインターネットにて募集するための販売希望者募集データを所定の募集サイトに送信する販売希望者募集データ送信手段と、  その募集サイトにおいて落札した販売者に係るリクエスト商品販売データを受信するリクエスト商品販売データ受信手段と、  その受信したリクエスト商品販売データをデジタル記録再生装置１０に送信するリクエスト商品販売データ送信手段と、を備えることで実現されている。
【００９２】
すなわち、ＣＭ商品データサーバ６０から商品データリクエスト信号に該当する商品データを商品データ抽出手段が抽出できなかった場合に、その抽出できなかった商品データに係る商品を販売可能な販売者を募集するために、販売希望者募集データ送信手段が募集サイトに送信する。
募集サイトでは、販売希望者募集データを見た商品販売可能な販売者が落札し、その落札した販売者に係るリクエスト商品販売データをリクエスト商品販売データ受信手段が受信する。そして、リクエスト商品販売データ受信手段が受信したリクエスト商品販売データを、リクエスト商品販売データ送信手段がデジタル記録再生装置１０に送信する。デジタル記録再生装置１０の制御手段が、リクエスト商品販売データをテレビに出力させる。  ユーザが購入したいとする商品は、ＣＭ商品データサーバ６０に存在しない場合もある。そのような場合、当該商品にニーズがあることは明らかであり、当該商品を販売することを希望する者を募集し、当該ユーザに紹介することで商取引が成立する。
【００９３】
（キーワード販売権）
また、本システムは、次のような機能を備えている。
番組映像またはＣＭ映像と関連するものの商品データとしてＣＭ商品データサーバ６０には未だ記憶されていない未開示商品について、その未開示商品を販売可能である販売者をインターネットにて募集するための未開示商品販売権データを、所定の販売権募集サイトに送信する販売権データ送信手段と、その販売権募集サイトにおいて落札した販売者からの当該未開示商品に関する販売データである未開示商品データを受信する未開示商品データ受信手段と、受信した未開示商品データを、既に記憶している商品データに追加する商品データ追加手段とを備えている。
【００９４】
ここで、「未開示商品販売権データ」とは、本願に係る商品購入システムのユーザが未開示商品を購入できるようにするために、当該未開示商品の販売を行うための権利取得に必要なデータをいう。例えば、未開示商品を５００個用意できなければならないといった数量データ、未開示商品を千円以下で販売しなければならないといった販売価格データ、権利取得に必要な金銭面の条件に関する権利対価データなどである。
【００９５】
すなわち、ＣＭ商品データサーバ６０には未だ記憶されていないが、販売が見込まれる商品があったとする。一方、そのような未開示商品を販売したい販売者を募集する販売権募集サイトが予め存在し、その販売権募集サイトに対して、未開示商品販売権データを送信する。
販売権募集サイトにおいて、募集に係る未開示商品販売権データを落札した販売者は、本願に係る商品購入システムに対して、当該未開示商品の売買条件などのデータ（未開示商品データ）を送信する。送信された未開示商品データは、本願に係る商品購入システムの未開示商品データ受信手段が受信する。そして、受信した未開示商品データは、ＣＭ商品データサーバ６０における商品データに追加する。これによって、未開示商品が購入可能な商品となる。
【００９６】
（関連商品データ）
また、ＣＭ商品データサーバ６０には、商品データに係る商品に関連する商品についての関連商品データを、当該商品データとのリンク構造を含んで備えている
ここで、「商品データに係る商品に関連する商品」とは、商品データに係る商品と所定の関係を有する商品である。例えば、商品データに係る商品が完成品であれば、関連商品は、その完成品の消耗品、組み立て工具などである。また、商品データに係る商品が「タレントＫが着用のブルージーンズ」であるとすると、関連商品データは「タレントＫ着用のブルージーンズ」にテイストが似た商品ということである。このテイストが似た商品というのは、「タレントＫ着用のブラックジーンズ」などの色違いや非常に似たデザインのものなどが該当する。
【００９７】
関連商品データは、特に商品データが洋服などの服飾品である場合にメリットが高い。これは、一般的にタレントが着用した洋服は欲しく同じ格好をしたい、という願望は多くのユーザが持ち合わせている。しかし、全く同じ洋服を他人が着用していた場合には非常に気まずいということを想定すると躊躇してしまう。一方で関連商品データである「Ｋ着用のブラックジーンズ」ならば、タレントと同じ格好をするという満足感と、同じ商品を購入した他人と会ってしまっても、色違いであれば、購入に踏み切れるユーザが多いことが予想されるからである。
なお、上記の場合、商品データサーバには、「タレントＫ着用のブルージーンズ」に加え、関連商品データとしての「タレントＫ着用のブラックジーンズ」という商品データも記憶されていることとなる。すわわち、ＣＭ商品データサーバ６０に関連商品データを備えることで、ユーザとしては、商品選択の余地が広がるとともに、即応性に優れた商品購入が可能となる。もちろん、関連機器が豊富なパソコンやデジタル家電の分野でも当てはまる。
【００９８】
（電子付箋機能）
デジタル記録再生装置１０には、電子付箋機能を備えている。これは、映像ストリームの再生中に、ユーザが所定シーンの頭出しを希望するための操作を行った場合に、その操作によって前記デジタル記録再生装置の記録手段の所定領域に予め確保された頭だし位置としての頭出し信号が記録される電子付箋テーブルを備え、制御手段は、ユーザの頭出し信号を呼び出す操作によって、電子付箋テーブルから該当する頭出し信号を抽出するとともに、その抽出された頭出し信号と、映像ストリームとを整合させることで、頭出し信号に対応する映像ストリームを開始させる。
【００９９】
ここで、「電子付箋」とは、ユーザが映像ストリームの特定シーンに印を付与するための頭出し信号のことであり、電子付箋テーブルに記録される。また、電子付箋は、デジタル記録再生装置を使用する複数のユーザ及び映像の種類を識別可能にするために、複数のカラーによって形成されている場合もある。
【０１００】
映像ストリームの再生中に、ユーザが頭出しを希望するための操作を行う。  その操作によって、希望する頭だし位置が頭だし信号として、デジタル記録再生装置１０のＨＤＤ１７の電子付箋テーブルに記録される。  次に、ユーザが頭出しをしたい所定シーンを呼び出す操作をする。  すると、電子付箋テーブルに記録されていた頭出し記録信号が呼び出され、制御手段がその頭出し位置から映像ストリームを開始させる。  電子付箋テーブルに記録された頭出し記録信号をユーザが選択することで、観たい映像シーンのみを容易に視聴することができる。  また、この頭出し位置から映像ストリームを再生した際に、購入希望データの送信をデジタル記録再生装置１０に行うことで、再生した映像ストリームに係る商品の購入画面に移行し、ユーザは商品の購入が可能となる。
【０１０１】
（第二実施形態）
図１３は、本発明に係る第二実施形態を示した図である。第二実施形態では、デジタル記録再生装置１０から出力されたＣＭ映像がテレビ５０に表示された状態において、リモートコントローラ４０の詳細閲覧ボタンを押すと、そのＣＭ映像に関連するインフォマーシャルデータを表示させるシステムとなっている。
すなわち、番組映像およびＣＭ映像からなる映像ストリームが記憶されたデジタル記録再生装置１０と、そのデジタル記録再生装置１０から出力された映像ストリームが表示されるテレビ５０と、デジタル記録再生装置１０に映像ストリームの再生信号を送信する機能を備えたインデックスサーバ３０と、ＣＭ映像に関連するインフォマーシャルデータが記憶された車メーカー用サーバ７０と、その車メーカー用サーバ７０からの見積もり依頼を受けることで、見積もりデータを算出する機能を有する見積もり用サーバ７２とから構成されており、車メーカー用サーバ７０、見積もり用サーバ７２、デジタル記録再生装置１０およびインデックスサーバ３０は、ネットワークコントローラ２６（通信手段）を介してインターネット接続されたシステムである。
【０１０２】
ここで、インフォマーシャルデータとは、ある商品やサービスの情報を５分から３０分ぐらいかけて紹介する映像データのことである。ここでは、車メーカーが提供している新車に関するインフォマーシャルデータをユーザが自宅のテレビにて閲覧することが可能となっている。
【０１０３】
図１４を参照して一連の処理を説明する。
ユーザは、テレビ画面に車メーカーのＣＭ映像が表示されている時に、デジタル記録再生装置１０のリモートコントローラ４０を用いて詳細閲覧信号（詳細閲覧ボタン）を送信する（Ｓ２０１）。デジタル記録再生装置１０は、リモートコントローラ４０から送信された詳細閲覧信号を受信する（Ｓ２０２）。詳細閲覧信号の受信を検知すると、テレビ５０にＣＭ映像が正常に表示されているか否かを判別する（Ｓ２０３）。テレビ５０にＣＭ映像が表示されていれば、ネットワークコントローラ２６が車メーカー用サーバ７０との間でインターネット接続を確立させて、その表示されているＣＭ映像に該当する詳細データリクエスト信号を、車メーカー用サーバ７０に送信する（Ｓ２０４）。一方、テレビ５０にＣＭ映像が表示されていなければ、受信エラーをテレビ画面に表示する（Ｓ２０５）。
【０１０４】
車メーカー用サーバ７０は、詳細データリクエスト信号を受信すると（Ｓ２０６）、インフォマーシャルデータベース７１に予め記憶されている複数のインフォマーシャルデータからユーザのリクエストに該当するインフォマーシャルデータを抽出する（Ｓ２０７）。そして、抽出したインフォマーシャルデータをデジタル記録再生装置１０に送信する（Ｓ２０８）。
【０１０５】
デジタル記録再生装置１０は、車メーカー用サーバ７０から送信されたインフォマーシャルデータを受信すると（Ｓ２０９）、インフォマーシャルの受信完了の信号およびメッセージを画面に表示し、ユーザの視聴を促す。ユーザはリモコン４０を用いて、デジタル記録再生装置１０に搭載された専用ソフトを介して新車データの特長や仕様などのインフォマーシャル映像データをテレビ５０に再生表示させて視聴する。
【０１０６】
また、この映像データには、車の見積もり用リンクボタンが埋設されており、ユーザからの見積もり要求を受信する機能を備えている。すなわち、ユーザが表示された見積もり用リンクを選択した場合、デジタル記録再生装置１０に対して、その選択した見積もり要求信号を送信する（Ｓ２１１）。デジタル記録再生装置１０は、ユーザから送信された見積もり要求信号を受信すると（Ｓ２１２）、その見積もり用サーバ７２を参照してリクエストされた車の見積もりデータを算出し（Ｓ２１３）、算出した見積もりデータをデジタル記録再生装置１０に送信する（Ｓ２１４）。
【０１０７】
デジタル記録再生装置１０は、送信された見積もりデータを受信し（Ｓ２１５）、テレビ画面に見積もり結果を表示させる（Ｓ２１６）。この見積もりデータは、住所、氏名、電話番号などの各種ユーザデータを入力すれば、見積もり用サーバ７２に搭載されたＨＤＤ等の記憶手段に保存可能となっており、例えば、ユーザが指定した、近隣の自動車販売店にて商談する際に利用することができる。
【０１０８】
また、デジタル記録再生装置１０のＣＭ映像再生時に、ユーザは詳細閲覧ボタンを押すだけで、車メーカーが提供するＣＭ映像に関連するインフォマーシャルデータを簡単に閲覧することができる。そして、閲覧によって当該車を気に入れば、そのまま見積もり手続きに移行することもできる。また、ＣＭ映像を提供する車メーカーにとっては、車メーカーが提供するインフォマーシャルデータを、より多くのユーザに見て貰う確率が高くなるので、これにより見積もりから購入に至るまでの確率も高くなるため好ましい。なお、インフォマーシャル映像をリクエストした日とダウンロードされたインフォマーシャルを見て、見積もり要求を出す日は異なる場合もある。これは、インフォマーシャルデータは映像データであるため容量が大きく、ダウンロードに時間がかかることが予想されるからである。
【０１０９】
また、第二実施形態における課金システムは任意でよいが、例えば、予め本システムとスポンサー（車メーカー）との間でＣＭ中に詳細閲覧ボタンを押すことでインフォマーシャルデータが流れる期間を設定しておき、その期間に応じて所定料金を請求する契約期間制や、デジタル記録再生装置１０から詳細閲覧ボタンが押された閲覧請求回数や見積もり請求ボタンが押された回数を記録しておき、それらの回数に応じて車メーカーに料金請求する従量制などの方法がある。
【０１１０】
なお、上述した実施形態はあくまで例示に過ぎず、本願発明が上記の実施形態に限定されることはない。
【図面の簡単な説明】
【０１１１】
【図１】本発明に係る商品購入システムの全体構成を示す概略図である。
【図２】デジタル記録再生装置のハードウェア構成を示したブロック図である。
【図３】インデックスサーバのハードウェア構成を示したブロック図である。
【図４】映像ストリームとインデックステーブルとの関係について説明した図であり、（ａ）は、番組映像およびＣＭ映像の記録位置を示した映像ストリームの図であり、（ｂ）は、上から「記録位置テーブル」、「番組情報テーブル」および「ＣＭ情報テーブル」を示した図である。
【図５】ＣＭ商品データサーバのハードウェア構成を示したブロック図である。
【図６】インデックステーブルに記憶されたＣＭ情報文字データとＣＭ映像との対応関係について説明した図である。
【図７】番組映像がテレビに表示された状態で、買い物実行ボタンを押したときに表示される画面を示した図である。
【図８】ＣＭ映像画面から商品購入までの処理を示したフローチャートである。
【図９】ＣＭ映像中に買い物実行ボタンを押した際に表示される画面を示した図である。
【図１０】所定の商品を選択した際に移行する商品詳細説明と購入画面を示した図である。
【図１１】ＣＭ検索機能を実行した際に表示される画面を示した図である。
【図１２】ＣＭ検索機能を用いて表示されたＣＭ検索結果画面を示した図である。
【図１３】第二実施形態におけるシステム全体について示した概略図である。
【図１４】第二実施形態におけるシステム全体の各処理を示したフローチャートである。
【符号の説明】
【０１１２】
１０  デジタル記録再生装置        １１  アンテナ
１２  チューナ
１３ａ，１３ｂ  アナログデジタル（Ａ／Ｄ）コンバータ
１４  ＭＰＥＧエンコーダ          １５  オーディオエンコーダ
１６  マルチプレクサ
１７  ＨＤＤ（ハードディスク）    １７ａ  常時録画ＨＤＤ
１７ｂ  保存用ＨＤＤ
１８  ハードディスク制御部（ＨＤＤ制御部）
１９  デマルチプレクサ            ２０  ＭＰＥＧデコーダ
２１  オーディオデコーダ
２２  デジタルアナログ（Ｄ／Ａ）コンバータ
２３  ＣＰＵ                      ２４  メモリ
２５  信号受信部                  ２６  ネットワークコントローラ
２６ｂ  リアルタイムクロック      ２７  ＯＳＤ                      
２８  入力部                      ２９  ＤＶＤドライブ
３０  インデックスサーバ          ３３  インデックステーブル
４０  リモートコントローラ        ５０  テレビ
６０  ＣＭ商品データサーバ        ６３  商品データベース
７０  車メーカー用サーバ          ７１  インフォマーシャルデータベース
７２  見積もり用サーバ
【図１】
2007110557.tif 000003
【図２】
2007110557.tif 000004
【図３】
2007110557.tif 000005
【図４】
2007110557.tif 000006
【図５】
2007110557.tif 000007
【図６】
2007110557.tif 000008
【図７】
2007110557.tif 000009
【図８】
2007110557.tif 000010
【図９】
2007110557.tif 000011
【図１０】
2007110557.tif 000012
【図１１】
2007110557.tif 000013
【図１２】
2007110557.tif 000014
【図１３】
2007110557.tif 000015
【図１４】
2007110557.tif 000016